(57)【要約】      （修正有）【課題】カフス部の折り返しが容易であり、かつ、折り返した状態において引っ張り強度を確保できるシャツを提供する。【解決手段】剣ボロ部１１は、上ボロ１８部及び下ボロ部２０から構成されるものであり、上ボロ部１８は、第１ボタン３０と対をなす第１ボタン穴２５と、第２ボタン３１と対をなす第２ボタン穴２６を有し、下ボロ部２０は、第１ボタン３０と、第２ボタン３１を有し、第１ボタン穴２５は、第２ボタン穴２６とカフス部１０との間に位置し、かつ、その長手方向が切り込み９の延び方向に対して交差する方向を向いている構成とする。【選択図】図４
0003195383.tif 000002
【実用新案登録請求の範囲】
【請求項１】
袖口から所定の方向に延びた切り込みが形成されたシャツであって、
前記切り込みを周端縁とするカフス部と、前記カフス部から前記所定の方向に連続し前記切り込みに沿って延びた剣ボロ部を備えたシャツにおいて、
前記剣ボロ部は、上ボロ部及び下ボロ部から構成されるものであり、
前記上ボロ部は、前記第１ボタンと対をなす第１ボタン穴と、前記第２ボタンと対をなす第２ボタン穴を有し、
前記下ボロ部は、第１ボタンと、第２ボタンを有し、
前記第１ボタン穴は、前記第２ボタン穴とカフス部との間に位置し、かつ、その長手方向が前記所定の方向に対して交差する方向を向いていることを特徴とするシャツ。
【請求項２】
前記第１ボタンと第２ボタンの間隔は、前記カフス部の前記所定の方向の長さと略同一であることを特徴とする請求項１に記載のシャツ。
【請求項３】
前記第１ボタンとカフス部の剣ボロ部側の端部との間隔は、１０ｍｍ以上２０ｍｍ以下であることを特徴とする請求項１又は２に記載のシャツ。
【請求項４】
前記第２ボタン穴は、その長手方向が前記所定の方向を向いていることを特徴とする請求項１〜３のいずれかに記載のシャツ。
【請求項５】
前記カフス部は、切り込みに沿った周端縁同士を重ね合わせて袖口の一部又は全部を形成するものであって、前記周端縁の重なり部分に一対の第３ボタン及び第３ボタン穴を備えており、
前記第３ボタン穴は、その長手方向が前記第１ボタン穴の長手方向と略同一方向を向いていることを特徴とする請求項１〜４のいずれかに記載のシャツ。
【請求項６】
前記カフス部は、前記第３ボタン穴に取り付け可能な第４ボタンを有し、
前記第４ボタンは、前記第３ボタンを基準として、前記所定の方向に対して交差する方向に間隔を空けて配されていることを特徴とする請求項５に記載のシャツ。
【請求項７】
前記カフス部は、前記第３ボタンと第４ボタンを繋ぐように延びた第４ボタン穴を有し、
前記第４ボタン穴は、第１ボタンを第１ボタン穴に係合させた状態で、前記第３ボタン穴と連通する連通穴を形成可能であることを特徴とする請求項６に記載のシャツ。
【考案の詳細な説明】
【技術分野】
【０００１】
本考案は、シャツに関するものである。本考案は、特に袖まくりを行った際に、袖まくりの状態を維持できるシャツに関するものである。
【背景技術】
【０００２】
従来から、ワイシャツ等の長袖シャツの使用者の中には、夏等の気温が高い時期や細かい作業が必要な時などに、袖口の近傍を１度や２度折り返して、長袖シャツを使用する場合がある（いわゆる、袖まくり）。この袖まくりは、カフスに設けられたボタンを外し、その状態でカフスに沿って、肘側に折り返して行う。
しかしながら、従来の長袖シャツの場合、この袖まくりを行った際に、袖口の折り返し部分から剣ボロに設けられたボタンまでの間隔が広くなっており、折り返した袖口の姿勢を維持する維持手段もないことから、作業等を行うと自然にカフスを折り返した状態から元の状態に戻ってしまう問題があった。
【０００３】
そこで、このような問題を解消するための方策が特許文献１に開示されている。
この特許文献１のシャツは、剣ボロ部分であって剣ボロ部分とカフスとの境界部分（折り返し部分）の近傍にボタンとボタンホールを設けている。そして、カフス部に沿って折り返した際に、ボタンとボタンホールを係合させた状態にすることによって、カフスを肘側に折り返した状態から元の状態に戻ることを防止できるとされている。
【先行技術文献】
【特許文献】
【０００４】
【特許文献１】登録実用新案３１２４１７０号公報
【考案の概要】
【考案が解決しようとする課題】
【０００５】
しかしながら、特許文献１に記載のシャツは、ボタンホールの延び方向が折り返し方向と同一方向を向いているため、１度カフスを折り返した状態にした後に、使用者が作業動作等を行うと、シャツの袖は使用者の手の動きに伴って袖口が広がる方向に引っ張られてしまい、ボタンとボタンホールとの係合状態が解除されるおそれがある。この係合状態が解除されてしまうと、カフスの折り返し状態を維持できず、折り返し前の元の状態に戻ってしまう可能性が高い。
【０００６】
そこで、本考案は、容易にカフス部の折り返しが容易であり、かつ、折り返した状態において十分な引っ張り強度を確保できるシャツを提供することを課題とする。
【課題を解決するための手段】
【０００７】
上記した課題を解決するための請求項１に記載の考案は、袖口から所定の方向に延びた切り込みが形成されたシャツであって、前記切り込みを周端縁とするカフス部と、前記カフス部から前記所定の方向に連続し前記切り込みに沿って延びた剣ボロ部を備えたシャツにおいて、前記剣ボロ部は、上ボロ部及び下ボロ部から構成されるものであり、前記上ボロ部は、前記第１ボタンと対をなす第１ボタン穴と、前記第２ボタンと対をなす第２ボタン穴を有し、前記下ボロ部は、第１ボタンと、第２ボタンを有し、前記第１ボタン穴は、前記第２ボタン穴とカフス部との間に位置し、かつ、その長手方向が前記所定の方向に対して交差する方向を向いていることを特徴とするシャツである。
【０００８】
本考案の構成によれば、第１ボタン穴は、前記第２ボタン穴とカフス部との間に位置している。すなわち、カフス部に沿って一回折り返した場合には、第１ボタン穴は、折り返し部分よりも第２ボタン穴側に位置しており、第１ボタンと係合する状態に維持できる。そのため、折り返した状態において、第１ボタンと第１ボタン穴を係合状態にすることによって、袖口が広がりにくくできる。それ故に、使用者が作業する際にカフス部を折り返した状態から折り返し前の状態に戻ることを防止できる。
また、本考案の構成によれば、第１ボタン穴の長手方向が切り込みの延び方向に対して交差する方向に延びているため、通常使用時やカフス部を一回折り返した状態において、第１ボタンと第１ボタン穴が係合することによって、特許文献１に記載のシャツに比べて、袖口の広がり方向への引っ張りに対して高い引っ張り強度を確保できる。
さらに、本考案の構成によれば、第１ボタン穴の長手方向が切り込みの延び方向に対して交差する方向に延びているため、第１ボタン穴は、切り込みの延び方向にほとんど場所を取らない。そのため、特許文献１に記載のシャツに比べてボタン穴が密集せず、ボタン穴の形成が容易である。
【０００９】
請求項２に記載の考案は、前記第１ボタンと第２ボタンの間隔は、前記カフス部の前記所定の方向の長さと略同一であることを特徴とする請求項１に記載のシャツである。
【００１０】
ここでいう長さにおける「略同一」とは、完全に一致している場合を含め、プラスマイナス３ｍｍ以内の差を許容するものである。
【００１１】
本考案の構成によれば、カフス部と剣ボロ部との境界部分に沿って折り返し、さらに当該折り返し部分に沿って折り返したとき（以下、二回折り返した状態ともいう）に、第１ボタンと第２ボタンの間隔がカフス部と略同一であるから、折り返し部分は、第２ボタンよりも先端側に位置することとなる。すなわち、二回折り返した状態において、第２ボタンを第２ボタン穴に係合させておくことができ、使用者が作業動作等を行った際に、袖口が広がりにくく、折り返し前の状態に戻りにくい。そのため、安定して作業が可能である。
【００１２】
請求項３に記載の考案は、前記第１ボタンとカフス部の剣ボロ部側の端部との間隔は、１０ｍｍ以上２０ｍｍ以下であることを特徴とする請求項１又は２に記載のシャツである。
【００１３】
第１ボタンとカフス部の剣ボロ部側の端部との間隔が１０ｍｍ未満の場合、カフス部を折り曲げた際に第１ボタンが邪魔となってしまい、折り曲げにくくなるおそれがある。
第１ボタンとカフス部の剣ボロ部側の端部との間隔が２０ｍｍ超過の場合、カフス部を折り曲げた際に折り曲げ部位から第１ボタンまでの距離が大きすぎて、第１ボタンが第１ボタン穴と係合することによる状態維持機能が十分に働かなくなってしまうおそれがある。
一方、本考案の構成によれば、第１ボタンとカフス部の剣ボロ部側の端部との間隔は、１０ｍｍ以上２０ｍｍ以下であるから、カフス部を一回折り曲げた際に、形状を維持しやすい。
【００１４】
ところで、折り返し回数が増えると折り返しを行う際に、折り返し方向に引っ張り力が発生する。すなわち、ボタンを留めた状態で折り返す際に自然とボタン穴が広がり、ボタンとボタン穴の係合状態が解除されてしまう場合がある。
【００１５】
そこで、請求項４に記載の考案は、前記第２ボタン穴は、その長手方向が前記所定の方向を向いていることを特徴とする請求項１〜３のいずれかに記載のシャツである。
【００１６】
本考案の構成によれば、第２ボタンと第２ボタン穴を係合させた状態で二度折り返す際に、折り返す際に生じる引っ張り力によって、第２ボタンと第２ボタン穴の係合状態が解除されにくい。
【００１７】
請求項５に記載の考案は、前記カフス部は、切り込みに沿った周端縁同士を重ね合わせて袖口の一部又は全部を形成するものであって、前記周端縁の重なり部分に一対の第３ボタン及び第３ボタン穴を備えており、前記第３ボタン穴は、その長手方向が前記第１ボタン穴の長手方向と略同一方向を向いていることを特徴とする請求項１〜４のいずれかに記載のシャツである。
【００１８】
本考案の構成によれば、通常使用時において、第３ボタン穴の長手方向が袖口に手首を挿通した際の広がり方向に延びている。そのため、第１ボタンと第１ボタン穴との係合による引っ張り強度と、第３ボタンと第３ボタン穴との係合に引っ張り強度との相互作用によって全体として引っ張り強度が高くなり、通常の作業時に第１ボタンが第１ボタン穴から外れにくく、さらに第３ボタンが第３ボタン穴から外れにくい。
【００１９】
請求項６に記載の考案は、前記カフス部は、前記第３ボタン穴に取り付け可能な第４ボタンを有し、前記第４ボタンは、前記第３ボタンを基準として、前記所定の方向に対して交差する方向に間隔を空けて配されていることを特徴とする請求項５に記載のシャツである。
【００２０】
本考案の構成によれば、カフス部のボタンを留める際に、第３ボタン穴に留めるボタンを、第３ボタンと第４ボタンから選ぶことで、カフス部の周囲のサイズを調整することができる。
【００２１】
請求項７に記載の考案は、前記カフス部は、前記第３ボタンと第４ボタンを繋ぐように延びた第４ボタン穴を有し、前記第４ボタン穴は、第１ボタンを第１ボタン穴に係合させた状態で、前記第３ボタン穴と連通する連通穴を形成可能であることを特徴とする請求項６に記載のシャツである。
【００２２】
本考案の構成によれば、第４ボタン穴は、第１ボタンを第１ボタン穴に係合させた状態で、前記第３ボタン穴と連通する連通穴を形成可能であるため、例えば、カフスボタンや安全ピン等の固定部材によって、カフス部の周端縁同士を固定することができる。
【考案の効果】
【００２３】
本考案のシャツによれば、容易にカフス部の折り返しが容易であり、かつ、折り返した状態において引っ張り強度を確保できる。
【図面の簡単な説明】
【００２４】
【図１】本考案の第１実施形態におけるシャツを表す正面図である。
【図２】図１のシャツを表す背面図である。
【図３】図１のシャツの要部を表す斜視図である。
【図４】図３のシャツの要部の一部を広げた状態とした平面図である。
【図５】図４のシャツの要部を反対からみた平面図である。
【図６】図３の要部の説明図であって、カフス部を１回折り返した状態を表す斜視図である。
【図７】図３の要部の説明図であって、カフス部を２回折り返した状態を表す斜視図である。
【考案を実施するための形態】
【００２５】
以下に、本考案の第１実施形態について説明する。
なお、以下の説明において、特に断りがない限り、上下左右の位置関係は、ハンガー等で吊り下げた状態を基準とする。
【００２６】
本考案の第１実施形態に係るシャツ１は、長袖シャツであり、図１，図２から読み取れるように、前身頃２と、後身頃３と、肩ヨーク４と、衿５と、袖６と、袖口７と、前立て８を有しており、これらの各部分に裁断された布地を縫製して形成されている。
【００２７】
そして、本発明の第１実施形態に係るシャツ１は、袖口７付近の構造に主な特徴を有している。そこで、以下、袖口７付近の構造に注目して説明する。
【００２８】
シャツ１は、図３，図４から読み取れるように、袖口７から所定の方向に延びた切り込み９と、袖口７の一部又は全部を形成するカフス部１０と、カフス部１０から連続し裄方向に延びた剣ボロ部１１を有している。
【００２９】
カフス部１０は、図４から読み取れるように周方向Ｘ（手首回り方向）に帯状に延びる部位であって、切り込み９を周端部とする部位である。
カフス部１０の周方向の一方の周端部２１の近傍には、図５に示されるように、その周方向Ｘの端部側から中央側に向けて、第１調整ボタン１２（第３ボタン）、第１カフスボタン穴１５（第４ボタン穴）、第２調整ボタン１６（第４ボタン）をこの順に有している。
またカフス部１０の他方の周端部２２の近傍には、第１兼用ボタン穴１７（第３ボタン穴）を有している。具体的には、周端部２２から第１兼用ボタン穴１７までの間隔は、０．５ｍｍ〜１．５ｍｍ程度である。
カフス部１０のカフス幅（裄方向の長さ）Ｗ１は、図４に示されるように５０ｍｍ〜８０ｍｍであることが好ましい。本実施形態のカフス幅は、６５ｍｍとなっている。
【００３０】
周端部２１側に設けられた第１調整ボタン１２及び第２調整ボタン１６は、いわゆるアジャストボタンであり、カフス部１０の周囲のサイズを調整するためのボタンである。
第１カフスボタン穴１５は、周方向Ｘに延びたスリット状の貫通孔であり、第１兼用ボタン穴１７と連通させて連通孔を形成することで、図示しないカフスボタンを取り付ける固定穴を形成可能な穴である。
また、第１調整ボタン１２及び第２調整ボタン１６は、第１カフスボタン穴１５を周方向Ｘに挟んで並んだ位置関係となっている。すなわち、第１カフスボタン穴１５の延び方向の一方の延長上に第１調整ボタン１２が配されており、他方の延長上に第２調整ボタン１６が配されている。
【００３１】
周端部２２側に位置する第１兼用ボタン穴１７は、周方向Ｘに延びたスリット状の貫通孔であり、第１カフスボタン穴１５と対をなすボタン穴である。
また第１兼用ボタン穴１７は、第１調整ボタン１２及び第２調整ボタン１６の双方に対して挿通させて係合することが可能な穴である。
すなわち、第１兼用ボタン穴１７は、第１調整ボタン１２及び第２調整ボタン１６のそれぞれに対して係止する機能と、図示しないカフスボタン等の固定部材を係止する機能の双方の機能を備えている。
【００３２】
剣ボロ部１１は、図４に示されるように、カフス部１０の一部と連続する部位であり、袖口７から肘側に向かって長尺状に延びた部位である。
剣ボロ部１１は、図４に示されるように、一対の上ボロ部１８と下ボロ部２０から形成されている。
上ボロ部１８は、図３に示されるように、使用時に使用者の手首を基準として、下ボロ部２０を外側から覆うことで切り込み９を塞ぐ部位である。
上ボロ部１８は、剣状の部位であってカフス部１０から裄方向Ｙ（袖口７から肘側に向かう方向）に延びている。
上ボロ部１８は、図３，図４に示されるように、通常使用時を基準として、カフス部１０側から延び方向Ｙに第１ボタン穴２５と、第２ボタン穴２６の順に有している。
第１ボタン穴２５は、周方向Ｘに延びたスリット状の貫通孔であり、第１ボタン３０を挿通することで第１ボタン３０と係合可能な穴である。
第２ボタン穴２６は、裄方向Ｙ（周方向Ｘに対して直交する方向）に延びたスリット状の貫通孔であり、第２ボタン３１を挿通することで第２ボタン３１と係合可能な穴である。
【００３３】
下ボロ部２０は、図４に示されるように、裄方向Ｙに延びた長方形状の部位であって、その基端部（肘側端部）が上ボロ部１８と一体となった部位である。
下ボロ部２０は、カフス部１０側から肘側に向けて、第１ボタン３０、第２ボタン３１をこの順に有している。
第１ボタン３０及び第２ボタン３１は、いわゆるガントレットボタンであり、第１調整ボタン１２及び第２調整ボタン１６よりも一回り小さなボタンである。
第１ボタン３０及び第２ボタン３１は、下ボロ部２０の延び方向Ｙにおいて、所定の間隔を空けて直線状に並んでいる。
【００３４】
続いて、本実施形態のシャツ１の袖口７付近の各部位の位置関係について説明する。
カフス部１０の第１兼用ボタン穴１７の延び方向は、図４，図５から読み取れるように、剣ボロ部１１の第１ボタン穴２５の延び方向と略同一方向を向いており、第２ボタン穴２６の延び方向と交差する方向を向いている。ここでいう方向における「略同一」とは、完全に一致している場合を含め、プラスマイナス３度以内の角度の差を許容するものである。
本実施形態では、カフス部１０の第１兼用ボタン穴１７の延び方向は、剣ボロ部１１の第１ボタン穴２５の延び方向と同一方向を向いており、第２ボタン穴２６の延び方向と直交する方向を向いている。
【００３５】
別の観点からみると、第１ボタン穴２５の延び方向は、図３のように、カフス部１０と、剣ボロ部１１との境界部分の延び方向と同一方向となっており、第２ボタン穴２６と前記境界部分の延び方向とは直交している。
【００３６】
また、第１兼用ボタン穴１７は、図５に示されるように、周方向Ｘにおいて、第１カフスボタン穴１５と同一方向を向いて並んでいる。
第１調整ボタン１２及び第２調整ボタン１６は、周方向Ｘに所定の間隔を空けて配されており、袖下（袖口７の先端部位）からの距離が略同一となっている。
【００３７】
第１ボタン３０は、図４に示されるように、カフス部１０と剣ボロ部１１の下ボロ部２０との境界部分の近傍であって、剣ボロ部１１側（肘側）に若干ずれた位置に配されている。
具体的には、図３に示されるカフス部１０の基端部（カフス部１０と下ボロ部２０との境界部分）から第１ボタン３０での距離Ｗ２は、１０ｍｍ〜２０ｍｍであることが好ましい。本実施形態では、当該距離は、１５ｍｍとなっている。
【００３８】
剣ボロ部１１においては、第１ボタン３０と第２ボタン３１は、裄方向Ｙに所定の間隔を空けて直線状に並んでいる。具体的には、図４に示される剣ボロ部１１の第１ボタン３０と第２ボタン３１の間隔Ｗ３は、カフス部１０のカフス幅Ｗ１の略同一となっている。
【００３９】
ここで、本考案の第１実施形態のシャツ１は、使用者が袖まくりを行った際の構造に特徴の一つを有する。
以下、この特徴について説明する。
まず、各ボタン１２，３０，３１を各ボタン穴１７，２５，２６に係合させた状態を通常状態とする。そして、図６に示されるように、この通常状態からカフス部１０の第１調整ボタン１２を第１兼用ボタン穴１７から外し、剣ボロ部１１の各ボタン３０，３１を留めた状態からカフス部１０を１回折り返して一回折り返し状態にする場合について説明する。
【００４０】
カフス部１０を剣ボロ部１１との境界部位に沿って折り返すと、第１ボタン３０は、カフス部１０と剣ボロ部１１の境界部分からわずかに肘側にずれた位置に配することとなるので、第１ボタン３０と第１ボタン穴２５の係合により、袖口７が外側に広がらない。
このとき、袖口７には、外側に広がろうとする引っ張り力が働くが、第１ボタン穴２５は広がり方向に延びているので、第１ボタン３０と第１ボタン穴２５の係合は当該引っ張り力に対する係合強度が高く、第１ボタン穴２５から第１ボタン３０が外れない。
そのため、折り返したカフス部１０が、元の状態（カフス部１０が延びた状態）に戻ろうとせず、使用者は、カフス部１０の復元を気にせずに安定して作業が可能である。
【００４１】
続いて、この一回折り返し状態において、図７に示されるように、第１ボタン３０を第１ボタン穴２５から外し、さらにカフス部１０を折り返して二回折り返し状態にする場合について説明する。
カフス部１０の基端側端部（肘側端部）に沿って折り返すと、第２ボタン３１は、剣ボロ部１１の折り目から肘側に少しずれた位置にあるので、第２ボタン３１と第２ボタン穴２６の係合により、袖口７が外側に広がらない。そのため、折り返したカフス部１０が、元の状態（カフス部１０が延びた状態）に戻ろうとせず、使用者は、カフス部１０の復元を気にせずに安定して作業が可能である。
【００４２】
以上のように、本実施形態のシャツ１によれば、使用者が袖まくりを行ったとしても、折り返した形状を維持することができ、使用者は、元の状態に戻ることを気にすることなく、作業を行うことができる。
【００４３】
本実施形態のシャツ１によれば、第１調整ボタン１２及び第２調整ボタン１６の中から第１兼用ボタン穴１７に取り付けるボタンを選択することで、袖口７を締め、袖丈を調整することが可能である。そのため、使用者の手首にフィットした袖口７を形成できる。
【００４４】
本実施形態のシャツ１によれば、第１カフスボタン穴１５と第１兼用ボタン穴１７を備えているため、ボタン穴１５，１７を連通させて連通穴を形成し、カフスボタンや安全ピン等の固定部材を当該連通穴に挿通して取り付けることによって、袖口７を固定することができる。
【００４５】
上記した実施形態では、第２調整ボタン１６及び第１カフスボタン穴１５を設けていたが、本発明はこれに限定されるものではなく、第２調整ボタン１６及び第１カフスボタン穴１５の内、一方又は双方を設けなくてもよい。
【符号の説明】
【００４６】
１  シャツ
９  切り込み
１０  カフス部
１１  剣ボロ部
１２  第１調整ボタン（第３ボタン）
１５  第１カフスボタン穴（第４ボタン穴）
１６  第２調整ボタン（第４ボタン）
１７    第１兼用ボタン穴（第３ボタン穴）
１８  上ボロ部
２０  下ボロ部
２５  第１ボタン穴
２６    第２ボタン穴
３０  第１ボタン
３１  第２ボタン
【図１】
0003195383.tif 000003
【図２】
0003195383.tif 000004
【図３】
0003195383.tif 000005
【図４】
0003195383.tif 000006
【図５】
0003195383.tif 000007
【図６】
0003195383.tif 000008
【図７】
0003195383.tif 000009